【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
バルブ（6）と、
バルブ（6）の下流に配置された、出口を有するノズル（3）と、
第1の流体がリザーバ（4）からバルブ（6）を介してノズル出口へと流れることが可能な流路（5）と、
一つまたは複数のセンサ（8）から入力を受け、かつその入力に基づいて要求値を決定するように適合された制御システム（7）であって、その要求値に基づいてバルブ開放期間が決定される、制御システム（7）と
を備える、第1の流体を第2の流体の流れに投入するための投入システムであって、
バルブ開放期間は、ゼロとは異なり、かつ要求値が所定の閾値を下回る場合には要求値に依存せず、かつ
一つまたは複数のセンサ（8）からの入力が、第2の流体が流れるパイプ（9）の壁の温度の測定値を含む、
投入システム。
【請求項２】
パイプ（9）の壁の温度が所定の臨界温度Tcrを下回る場合には、第1の流体が添加されない、請求項1記載の投入システム。
【請求項３】
第1の流体を投入システムを通じてポンピングするためのポンプ手段を更に備える、請求項1または2記載の投入システム。
【請求項４】
第1の流体が、少なくとも要求値が閾値を下回る場合にノズル出口から断続的に流出する、前記請求項のいずれか一項記載の投入システム。
【請求項５】
ノズル（3）がバルブ（6）を備える、前記請求項のいずれか一項記載の投入システム。
【請求項６】
ノズル（3）が噴霧装置を備える、前記請求項のいずれか一項記載の投入システム。
【請求項７】
噴霧装置が、少なくとも2つの集中ノズルチャンネルを備える、請求項6記載の投入システム。
【請求項８】
一つまたは複数のセンサ（8）からの入力が、第2の流体の温度の測定値を含む、前記請求項のいずれか一項記載の投入システム。
【請求項９】
投入システムが燃焼エンジン式の乗り物に配置され、かつ一つまたは複数のセンサ（8）からの入力が、エンジン（1）の実燃料消費、1分間当たりの回転数、および負荷（loading）のうちの一つまたは複数のパラメータの測定値を含む、前記請求項のいずれか一項記載の投入システム。
【請求項１０】
第1の液体が液化尿素などの還元剤であり、かつ第2の流体が燃焼エンジン（1）からの排ガスである、前記請求項のいずれか一項記載の投入システム。
【請求項１１】
前記請求項のいずれか一項記載の投入システムと、
第2の流体が流れる排気管（9）と
を備える排気システムであって、
ノズル出口が、第1の流体を第2の流体へ供給するように配置されている、排気システム。
【請求項１２】
バルブ（6）と、バルブ（6）の下流に配置された、出口を有するノズル（3）と、第1の流体がリザーバ（4）からバルブ（6）を介してノズル出口へと流れることが可能な流路（5）と、制御システム（7）とを備える投入システムを用いて、第1の流体を第2の流体の流れに投入する方法であって、該方法が、
一つまたは複数のセンサ（8）を用いて一つまたは複数のパラメータ値を測定する工程、
測定された値を制御システム（7）への入力として使用する工程、
入力に基づいて要求値を決定する工程、
要求値と所定の閾値とを比較する工程、および
要求値が所定の閾値を下回る場合に、要求値に依存しないバルブ開放期間を決定し、要求値が所定の閾値と等しいかまたはそれを上回る場合に、要求値に依存するバルブ開放期間を決定する工程
を含み、
一つまたは複数のセンサ（8）からの入力が、第2の流体が流れるパイプ（9）の壁の温度の測定値を含む、
前記方法。
【請求項１３】
パイプ（9）の壁の温度が所定の臨界温度Tcrを下回る場合には、第1の流体が添加されない、請求項12記載の方法。
【請求項１４】
第1の流体を投入システムを通じてポンピングすることを更に含む、請求項12または13記載の方法。
【請求項１５】
第1の流体が、少なくとも要求値が閾値を下回る場合に出口から断続的に流出する、請求項12〜14のいずれか一項記載の方法。
【請求項１６】
一つまたは複数のセンサ（8）からの入力が、第2の流体の温度の測定値を含む、請求項12〜15のいずれか一項記載の方法。
【請求項１７】
投入システムが燃焼エンジン式の乗り物に配置され、かつ一つまたは複数のセンサ（8）からの入力が、エンジンの実燃料消費、1分間当たりの回転数、および負荷のうちの一つまたは複数のパラメータの測定値を含む、請求項12〜16のいずれか一項記載の方法。
【請求項１８】
第1の液体が液化尿素などの還元剤であり、かつ第2の流体が燃焼エンジン（1）からの排ガスである、請求項12〜17のいずれか一項記載の方法。
【手続補正２】
【補正対象書類名】明細書
【補正対象項目名】００２０
【補正方法】変更
【補正の内容】
【００２０】
本発明のこれらの局面および他の局面は、後述する態様から明らかであり、該態様に関連して解明される。
[請求項1001]
バルブと、
バルブの下流に配置された、出口を有するノズルと、
第1の流体がリザーバからバルブを介してノズル出口へと流れることが可能な流路と、
一つまたは複数のセンサから入力を受け、かつその入力に基づいて要求値を決定するように適合された制御システムであって、その要求値に基づいてバルブ開放期間が決定される、制御システムと
を備える、第1の流体を第2の流体の流れに投入するための投入システムであって、
バルブ開放期間は、ゼロとは異なり、かつ要求値が所定の閾値を下回る場合には要求値に依存しない、投入システム。
[請求項1002]
第1の流体を投入システムを通じてポンピングするためのポンプ手段を更に備える、請求項1001記載の投入システム。
[請求項1003]
第1の流体が、少なくとも要求値が閾値を下回る場合にノズル出口から断続的に流出する、請求項1001または1002記載の投入システム。
[請求項1004]
ノズルがバルブを備える、前記請求項のいずれか一項記載の投入システム。
[請求項1005]
ノズルが噴霧装置を備える、前記請求項のいずれか一項記載の投入システム。
[請求項1006]
噴霧装置が、少なくとも2つの集中ノズルチャンネルを備える、請求項1005記載の投入システム。
[請求項1007]
一つまたは複数のセンサからの入力が、第2の流体の温度の測定値を含む、前記請求項のいずれか一項記載の投入システム。
[請求項1008]
一つまたは複数のセンサからの入力が、第2の流体が流れるパイプの壁の温度の測定値を含む、前記請求項のいずれか一項記載の投入システム。
[請求項1009]
投入システムが燃焼エンジン式の乗り物に配置され、かつ一つまたは複数のセンサからの入力が、エンジンの実燃料消費、1分間当たりの回転数、および負荷（loading）のうちの一つまたは複数のパラメータの測定値を含む、前記請求項のいずれか一項記載の投入システム。
[請求項1010]
第1の液体が液化尿素などの還元剤であり、かつ第2の流体が燃焼エンジンからの排ガスである、前記請求項のいずれか一項記載の投入システム。
[請求項1011]
前記請求項のいずれか一項記載の投入システムと、
第2の流体が流れる排気管と
を備える排気システムであって、
ノズル出口が、第1の流体を第2の流体へ供給するように配置されている、排気システム。
[請求項1012]
バルブと、バルブの下流に配置された、出口を有するノズルと、第1の流体がリザーバからバルブを介してノズル出口へと流れることが可能な流路と、制御システムとを備える投入システムを用いて、第1の流体を第2の流体の流れに投入する方法であって、
一つまたは複数のセンサを用いて一つまたは複数のパラメータ値を測定する工程、
測定された値を制御システムへの入力として使用する工程、
入力に基づいて要求値を決定する工程、
要求値と所定の閾値とを比較する工程、および
要求値が所定の閾値を下回る場合に、要求値に依存しないバルブ開放期間を決定し、要求値が所定の閾値と等しいかまたはそれを上回る場合に、要求値に依存するバルブ開放期間を決定する工程
を含む方法。
[請求項1013]
第1の流体を投入システムを通じてポンピングすることを更に含む、請求項1012記載の方法。
[請求項1014]
第1の流体が、少なくとも要求値が閾値を下回る場合に出口から断続的に流出する、請求項1012または1013記載の方法。
[請求項1015]
一つまたは複数のセンサからの入力が、第2の流体の温度の測定値を含む、請求項1012〜1014のいずれか一項記載の方法。
[請求項1016]
一つまたは複数のセンサからの入力が、第2の流体が流れるパイプの壁の温度の測定値を含む、請求項1012〜1015のいずれか一項記載の方法。
[請求項1017]
投入システムが燃焼エンジン式の乗り物に配置され、かつ一つまたは複数のセンサからの入力が、エンジンの実燃料消費、1分間当たりの回転数、および負荷のうちの一つまたは複数のパラメータの測定値を含む、請求項1012〜1016のいずれか一項記載の方法。
[請求項1018]
第1の液体が液化尿素などの還元剤であり、かつ第2の流体が燃焼エンジンからの排ガスである、請求項1012〜1017のいずれか一項記載の方法。